(57)【要約】【課題】これまで直視困難であった患者の口腔内奥等の術野を明視できるようにする医療用チェアを提供する。【解決手段】本発明の医療用チェアは、臀部を保持するシート部（１３）と、シート部に連なり上半身を保持するバックレスト部（１２）とを備え、バックレスト部は水平位置からさらに下方へ傾動し得ることを特徴とする。バックレスト部が水平位置に対して下方に傾動する最大傾角を３〜１０°とすることにより、患者に負担をかけることなく、また術者に無理な姿勢を強いることなく、これまで直視困難であった口腔内奥等の術野を容易に明視できるようになった。そして本発明の医療用チェアは、さらに、バックレスト部の先端側には、傾動自在なヘッドレスト部を設けたり、シート部の座面高さを自在に調整できる昇降装置を備えると好ましい。本発明の医療用チェアは特に歯科治療用に用いられると有効である。【選択図】図２
2014000146.tif 000002
【特許請求の範囲】
【請求項１】
臀部を保持するシート部と、
該シート部に連なり上半身を保持するバックレスト部と、
を備える医療用チェアであって、
前記バックレスト部は水平位置からさらに下方へ傾動し得ることを特徴とする医療用チェア。
【請求項２】
前記バックレスト部が水平位置に対して下方に傾動する最大傾角は３〜１０°である請求項１に記載の医療用チェア。
【請求項３】
さらに、前記バックレスト部に対して下方へ傾動し得るヘッドレスト部を備える請求項１または２に記載の医療用チェア。
【請求項４】
さらに、前記シート部の座面高さを調整する昇降装置を備える請求項１〜３のいずれかに記載の医療用チェア。
【請求項５】
歯科治療用である請求項１〜４のいずれかに記載の医療用チェア。
【発明の詳細な説明】
【技術分野】
【０００１】
本発明は、口腔内治療等を必要とする患者を保持する医療用チェアに関する。
【背景技術】
【０００２】
口腔内やその近傍の治療は、患者をリクライニングチェア（医療用チェア）に委ねさせ、リクライニングチェアのバックレスト部の傾角やヘッドレスト部の傾角を調整して、患者を着座状態または仰臥状態にしてなされることが多い。このようなリクライニングチェアに関する記載が例えば下記の特許文献にある。
【先行技術文献】
【特許文献】
【０００３】
【特許文献１】特開２００９−２２４９５号公報
【発明の概要】
【発明が解決しようとする課題】
【０００４】
特許文献１は、ヘッドレスト部（安頭台）を傾動させて患者の頭頂部を下方にしたときにも、患者の頸椎を圧迫しないように切り欠きを設けたヘッドレスト部を有する歯科治療椅子を提案している。
【０００５】
このような歯科治療椅子を用いて患者の頭頂部を下方にすれば、相対的に口腔部分が上向くため、歯科治療等がし易くなる。もっとも、この歯科治療椅子のように、単に患者の頭部を傾動させるだけでは、上顎歯列の内奥側などを目視で直接観察することは依然として難しい状況にあった。つまり、従来の医療用チェアを用いている限り、術者に無理な姿勢を強いることなく、上顎歯列の内奥側などの術野を明視することはできなかった。
【０００６】
本発明はこのような事情に鑑みて為されたものであり、従来の医療用チェアは異なり、医師等の術者が無理な姿勢をしなくても比較的容易に、患者の口腔内の上奥部分等の術野を明視できるようになる医療用チェアを提供することを目的とする。
【課題を解決するための手段】
【０００７】
本発明者はこの課題を解決すべく鋭意研究し、試行錯誤を重ねた結果、患者の上半身を保持している背部（バックレスト部）を水平状態よりもさらに傾動させることを思い付き、この着想に基づき以降に述べる本発明を完成するに至った。
【０００８】
すなわち本発明の医療用チェアは、臀部を保持するシート部と、該シート部に連なり上半身を保持するバックレスト部と、を備える医療用チェアであって、前記バックレスト部は水平位置からさらに下方へ傾動し得ることを特徴とする。
【０００９】
本発明の医療用チェアはバックレスト部が水平位置よりもさらに下方へ傾動するため、その医療用チェア上に仰臥した患者の口腔内、特に上顎内奥部等を術者は目視により容易に観察できるようになる。従って本発明の医療用チェアによれば、術者や患者に負担を強いることなく、これまで観察が困難であった術野の明視が可能となる。
【００１０】
なお、バックレスト部が水平位置より下方へ傾動しているか否かは、バックレスト部の
側面の中央上下端部を連結した直線と水平線を比較して判断する。また水平位置（水平線）は、医療用チェアを設置する床面と平行な位置（平行線）とする。本明細書でいうバックレスト部の最大傾角の測定も同様に行う。
【図面の簡単な説明】
【００１１】
【図１】本発明の一実施例である歯科矯正用チェアが傾動する様子を示す斜視図である。
【図２】その歯科矯正用チェア上に患者が仰臥している様子を示す模式図である。
【発明を実施するための形態】
【００１２】
上述した本発明の構成要素に、本明細書中から任意に選択した一つまたは二つ以上の構成要素を付加し得る。いずれの実施形態が最良であるか否かは、対象、要求性能等によって異なる。
【００１３】
本発明の医療用チェアは、少なくともシート部とバックレスト部を備える。バックレスト部は、シート部と独立して傾動していてもよいし、シート部と連動して傾動してもよい。バックレスト部が傾動しても、シート部の座面がほぼ水平であると、患者の身体が安定的に保持されて好ましい。
【００１４】
本発明者の調査研究によれば、バックレスト部が水平位置に対して下方に傾動する最大傾角は３〜１０°さらには４〜８°であると好ましい。最大傾角が過小では明視できる術野範囲が狭くなり、最大傾角が過大では患者の負担が増えるので好ましくない。
【００１５】
本発明の医療用チェアは、バックレスト部やシート部の他に、バックレスト部の上方先端側に設けられるヘッドレスト部、シート部の下方先端側に設けられるレッグレスト部、さらにレッグレスト部の下方先端側に設けられるフットレスト部などを有してもよい。
【００１６】
バックレスト部の先端側に設けるヘッドレスト部は、バックレスト部に対して下方へ傾動するとより好適である。バックレスト部の傾動とヘッドレスト部の傾動が協働することにより、口腔内奥部の術野も明視が容易となり、適切な治療をより効率的に行えるようになる。
【００１７】
本発明の医療用チェアは、さらにシート部の座面高さを調整する昇降装置を有すると好適である。これにより患者と術者の相対位置を容易に変更でき、術者が無理なく適切な術野を明視できるようになる。
【００１８】
本発明の医療用チェアは、術野の明視範囲の拡張に用いられる限り、治療の種類や分野を問わないが、口腔内の治療、特に歯科治療用に好適である。
【００１９】
なお、バックレスト部等の傾動や所定角度での固定は、周知のリクライニング機構やその改良機構を用いて容易に実現できる。
【実施例】
【００２０】
本発明の医療用チェアに係る一例である歯科矯正に用いる歯科矯正用チェアＣを図１に、その歯科矯正用チェアＣに患者が仰臥している様子を図２に示した。この歯科矯正用チェアＣは、ヘッドレスト部１１と、バックレスト部１２と、シート部１３と、レッグレスト部１４とからなる。
【００２１】
バックレスト部１２の上方先端側に取り付けられたヘッドレスト部１１は、バックレスト部１２に対して所望の傾角で固定できるよう傾動可能にリンクされている。バックレスト部１２は、その下方先端側にあるシート部１３に対して所望の傾角で固定できるよう傾動可能にリンクされている。シート部１３の下方先端側に取り付けられたレッグレスト部１４も、シート部１３に対して所望の傾角で固定できるよう傾動可能にリンクされている。
【００２２】
具体的にいうと、バックレスト部１２は、シート部１３に対して水平位置から下方へθ＝６°傾斜できるようになっている。つまり本実施例では、バックレスト部１２の最大傾角（θ）を６°とした。またヘッドレスト部１１もバックレスト部１２に対して水平よりも下方へ傾斜できるようになっている。
【００２３】
また歯科矯正用チェアＣは、シート部１３の座面高さを自在に調整できるエレベータ２２（昇降装置）を、ベース２１とシート部１３との間に備える。
【００２４】
術者は、患者を歯科矯正用チェアＣ上に仰臥させ、エレベータ２２でシート部１３の座面高さを調整し、バックレスト部１２を水平よりも下方へリクライニングさせる。さらにヘッドレスト部１１の向きも調整する。このようにヘッドレスト部１１の傾動、バックレスト部１２の傾動およびシート部の昇降を協働させることにより、術者に無理な姿勢を強いることなく、患者の上顎歯列の内奥等の術野をより広く明視できるようになる。
【００２５】
なお、バックレスト部１２の傾角が水平から１０°以下の６°程度なら、歯科矯正用チェアＣから患者がずり落ちることもない。また歯科治療の場合、患者を一定の姿勢にさせたまま長時間保持することは殆どない。従って、患者の頭頂部が上半身に対して短時間だけ少し低くなっても患者に大きな負担がかかることはない。むしろ、従来は直視困難であった術野が本実施例の歯科矯正用チェアＣにより明視できるようになったため、的確な治療を効率的に行うことができ、従来よりも遥かに患者および術者の負担軽減が可能となった。
【符号の説明】
【００２６】
Ｃ    歯科矯正用チェア（医療用チェア）
１１  ヘッドレスト部
１２  バックレスト部
１３  シート部
１４  レッグレスト部
【図１】
2014000146.tif 000003
【図２】
2014000146.tif 000004